(57)【要約】【課題】  土壌及び施肥を必要とせず、良好な排水性で根腐れが生じにくい緑化ブロックを提供する。【解決手段】  木質炭化細片２ｂを骨材として混入したポーラスな上層コンクリート２の下面に木質炭化粉を混入した通水性を有する下層コンクリート３を積層し、下層コンクリート３の下面に通水した水を排水させる所定深さの排水溝３ａを形成する。従って、木質炭化細片２ｂにより適度な空隙２ｄが形成され、植物の根が着生し易くなって土壌を省略できるとともに、木質炭化細片２ｂに含有する養分が根に直接供給され、施肥も特段必要とせずコストを低減できる。また、下層コンクリート３が防根するとともに下面の排水溝３ａで余剰の水が確実に排水されて湿気の滞留を抑制し、根腐れを効果的に防止する。【選択図】図１
2005143326.tif 000002
【特許請求の範囲】
【請求項１】
木質炭化物を骨材として混入した植物の根が進入できる空隙を有するポーラスな上層コンクリートの下面に通水性を有し且つ植物の根が進入できない下層コンクリートを積層し、下層コンクリートの下面に通水した水を排水させる所定深さの排水溝を形成した緑化ブロック。
【請求項２】
上層コンクリートの木質炭化物が細長の細片である請求項１記載の緑化ブロック。
【請求項３】
上層コンクリートの上面に植物を植栽させる土壌を収容する凹所を複数設けた請求項１又は２記載の緑化ブロック。
【請求項４】
凹所がポット穴である請求項３記載の緑化ブロック。
【請求項５】
上層コンクリート及び下層コンクリートのコンクリート材料が、アルミナセメント・ポルトランドセメント・発泡コンクリートのいずれか又はこれらの組合せにシリカヒューム・ジルコニアを混入して構成されたものである請求項１〜４いずれか記載の緑化ブロック。
【請求項６】
請求項１〜５いずれか記載の緑化ブロックを建物の屋上に多数配置した緑化屋上。
【請求項７】
請求項１〜５いずれか記載の緑化ブロックを傾斜面に多数配置した緑化法面。
【請求項８】
請求項１〜５いずれか記載の緑化ブロックを路面に多数配置した緑化路面。
【発明の詳細な説明】
【技術分野】
【０００１】
本発明は、コンクリートに炭化物を含有させて植物を着生させ易くした緑化ブロックに関する。
【背景技術】
【０００２】
従来、コンクリートに炭化物を含有させた緑化ブロックは特許文献１に開示されている。この技術は、セメント１００重量部に対して木質炭化物１０重量部以上に配合したものに水を混練して硬化させた炭入りコンクリート体の表面に植物を植生させる土を収容する凹部又は上下に貫通する穴部を複数設けた構造を特徴とするものである。
【０００３】
ところで、前記緑化ブロックは、土壌を使用するから施肥を必要としてコストがかかるとともに土壌が雨水等により流出する問題があった。また、ブロックの下面が平滑で防根層が無いから、ブロックの下方まで伸びた根がブロック下方で滞留する湿気により根腐れし易く、植物の成長を阻害する問題もあった。
【特許文献１】特開２００２−１９１２３５号公報
【発明の開示】
【発明が解決しようとする課題】
【０００４】
本発明が解決しようとする課題は、従来のこれらの問題点を解消し、土壌及び施肥を必要とせず、良好な排水性で根腐れが生じにくい緑化ブロックを提供することにある。
【課題を解決するための手段】
【０００５】
かかる課題を解決した本発明の構成は、
１）  木質炭化物を骨材として混入した植物の根が進入できる空隙を有するポーラスな上層コンクリートの下面に通水性を有し且つ植物の根が進入できない下層コンクリートを積層し、下層コンクリートの下面に通水した水を排水させる所定深さの排水溝を形成した緑化ブロック
２）  上層コンクリートの木質炭化物が細長の細片である前記１）記載の緑化ブロック
３）  上層コンクリートの上面に植物を植栽させる土壌を収容する凹所を複数設けた前記１）又は２）記載の緑化ブロック
４）  凹所がポット穴である前記３）記載の緑化ブロック
５）  上層コンクリート及び下層コンクリートのコンクリート材料が、アルミナセメント・ポルトランドセメント・発泡コンクリートのいずれか又はこれらの組合せにシリカヒューム・ジルコニアを混入して構成されたものである前記１）〜４）いずれか記載の緑化ブロック
６）  前記１）〜５）いずれか記載の緑化ブロックを建物の屋上に多数配置した緑化屋上
７）  前記１）〜５）いずれか記載の緑化ブロックを傾斜面に多数配置した緑化法面
８）  前記１）〜５）いずれか記載の緑化ブロックを路面に多数配置した緑化路面
にある。
【発明の効果】
【０００６】
本発明によれば、骨材の木質炭化物により適度な空隙が形成され、植物の根が着生し易くなって土壌を省略できるとともに、木質炭化物に含有する養分が根に直接供給され、施肥も特段必要とせずコストを低減できる。また、下層のコンクリートが防根するとともに通水又は隣接するブロック同士の隙間から落水した余剰の水が下面の排水溝で確実に排水されて湿気の滞留を抑制し、根腐れを効果的に防止する。さらに、適度な保水性により温度上昇を抑制し、設置面への断熱効果でヒートアイランド現象を低減することができる。
【発明を実施するための最良の形態】
【０００７】
本発明の緑化ブロックのコンクリートを構成する材料としては、発泡コンクリート・アルミナセメント・ポルトランドセメントなどがあり、必要とする強度に応じてシリカヒュームやジルコニアを１〜３０重量部配合してもよい。炭化物としては、竹炭・木炭・活性炭などがあり、上層のコンクリートには粒径１〜１０ｍｍの範囲のものが混入され、下層のコンクリートには粉体化したものが必要に応じて混入される。以下、本発明の実施例を図面に基づいて具体的に説明する。
【実施例１】
【０００８】
図１〜３に示す実施例は、建物の屋上に設置される緑化ブロックの例である。図１は実施例の緑化ブロックの上面側の一部切欠斜視図、図２は実施例の緑化ブロックの下面側の一部切欠斜視図、図３は実施例の緑化でロックに植栽した状態を示す説明図である。
【０００９】
図中、１は緑化ブロック、２は上層コンクリート、２ａは凹所、２ｂは木質炭化細片、２ｃはセメント、２ｄは空隙、３は下層コンクリート、３ａは排水溝、Ｆは床パネル、Ｇは土壌、Ｐは植物、Ｐａは根、Ｗは水である。
【００１０】
本実施例の緑化ブロック１は、図１，２に示すようにポルトランドセメント１６．９６重量％，砂５４．５７重量％に適量の水を加えて混練したモルタルを型枠に注入して下層部を形成し、さらに１〜１０ｍｍの大きさの木質炭化細片２ｂを１０．８２重量％，アルミナセメント１５重量％，シリカヒューム０．５８重量％，ジルコニア０．２１重量％，砂１．７５重量％に適量の水を加えて混練したモルタルを型枠に注入して上層部を形成し、同時に硬化させて上面に凹所２ａと下面に排水溝３ａを有するポーラス及び密な構造の２層ブロックを形成した４５ｃｍ×４５ｃｍ×１０ｃｍのものである。
【００１１】
この緑化ブロック１は、図１の拡大図に示すように上層コンクリート２は木質炭化細片２ｂにより適度な大きさの空隙２ｄが連続的且つ立体的に形成されており、この空隙２ｄに植物Ｐの根Ｐａが進入して着生されるのである。下層コンクリート３は連続的で微細な空隙が形成されており、水を通水させるが植物Ｐの根Ｐａは進入できず通水防根層となっている。
【００１２】
図３に示すように、複数の緑化ブロック１を建物の屋上の床パネルＦ上に隣接して配置し、多様な植物Ｐを土壌Ｇを付着させたまま各緑化ブロックの凹所２ａに載置する。その後、植物Ｐに潅水すると、水Ｗは土壌Ｇ及び上層コンクリート２の木質炭化細片２ｂに吸水されるとともに余剰分が空隙２ｄを通じて下層コンクリート３へ通水し、さらに下層コンクリート３内も通水して排水溝３ａから排水される。
【００１３】
植物Ｐは光合成により成長し、根Ｐａが伸びて上層コンクリート２の空隙２ｄ内に進入して着生していく。水分は吸水した土壌Ｇや木質炭化細片２ｂから供給され、同時に木質炭化細片２ｂに有する養分（Ｃａ，Ｋ，Ｍｇ，Ｎａ等）が滲出して供給される。余剰分の水Ｗは排水溝３ａで確実に排水され、湿気が過剰に滞留することなく根腐れを防止する。また、適度な保水性により温度上昇を抑え、屋上の環境も改善できる。
【００１４】
図４に示すのは、実施例の緑化ブロックの他の例である。図４は実施例の他の例の緑化ブロックに植栽した状態を示す説明図である。図４に示す緑化ブロック１は、実施例のように凹所２ａを形成せずに平坦な形状としている。この上層コンクリート２の上面全面に芝を植栽して芝生を形成している。その他、符号、構成、作用効果は実施例と同じである。
【００１５】
図５に示すのは、実施例の緑化ブロックの他の例である。図５は実施例の他の例の緑化ブロックに植栽した状態を示す説明図である。図中、２ｅはポット穴である。図５に示す緑化ブロック１は、実施例の凹所２ａに代えてポット穴２ｅを形成している。このポット穴２ｅには土壌Ｇが付着した植物Ｐを直接植栽するが、ポットを取り付けたまま収容することもできる。その他、符号、構成、作用効果は実施例と同じである。
【００１６】
図６に示すのは、実施例の緑化ブロックの他の例である。図６は実施例の他の例の緑化ブロックの下面側の一部切欠斜視図である。図中、３ｂは凹所である。図６に示す緑化ブロック１は、排水溝３ａで囲まれた被設置面に排水溝３ａと同じ深さの凹所３ｂを形成し、被設置面の面積を低減して湿気の滞留をより抑制できるようにしている。その他、符号、構成、作用効果は実施例と同じである。
【産業上の利用可能性】
【００１７】
本発明の緑化ブロックは、屋上・庭・歩道・法面・壁面・路側帯・車庫・私道・公園などに利用できる。
【図面の簡単な説明】
【００１８】
【図１】実施例の緑化ブロックの上面側の一部切欠斜視図である。
【図２】実施例の緑化ブロックの下面側の一部切欠斜視図である。
【図３】実施例の緑化ブロックに植栽した状態を示す説明図である。
【図４】実施例の他の例の緑化ブロックに植栽した状態を示す説明図である。
【図５】実施例の他の例の緑化ブロックに植栽した状態を示す説明図である。
【図６】実施例の他の例の緑化ブロックの下側の一部切欠斜視図である。
【符号の説明】
【００１９】
１  緑化ブロック
２  上層コンクリート
２ａ  凹所
２ｂ  木質炭化細片
２ｃ  セメント
２ｄ  空隙
２ｅ  ポット穴
３  下層コンクリート
３ａ  排水溝
３ｂ  凹所
Ｆ  床パネル
Ｇ  土壌
Ｐ  植物
Ｐａ  根
Ｗ  水
【図１】
2005143326.tif 000003
【図２】
2005143326.tif 000004
【図３】
2005143326.tif 000005
【図４】
2005143326.tif 000006
【図５】
2005143326.tif 000007
【図６】
2005143326.tif 000008